(57)【要約】【課題】  外部ストロボ２を装着可能カメラ１において、外部ストロボ２の取り付けガタを抑えるためにガタ防止板バネ４を備えているが、外部ストロボ装着状態で外部ストロボ２に外力が加わるとガタ防止バネ４が塑性変形してしまい、上方向への付勢力を失う。その結果、外部ストロボ２が非装着状態でも検出手段は装着状態であると誤検出する問題があった。【解決手段】  検出手段に設けられたスイッチ板バネ７を複数枚重ねることで、ガタ防止板バネ４の塑性変形に対抗できる反力を備え、カメラ１を大型化せずに外部ストロボ装着の誤検出を防ぐことができる。【選択図】  図４
2008292928.tif 000002
【特許請求の範囲】
【請求項１】
外部アクセサリーを装着可能なアクセサリーシューと、
前記アクセサリーシューに配置され、前記アクセサリーシューに前記外部アクセサリーが装着さられた場合にチャージされる第１のバネ部材と、
前記アクセサリーシューに配置され、前記第１のバネ部材がチャージされるときに押し込まれるピン部材と、
前記第１のバネ部材よりも強い付勢力で前記ピン部材を突出させる方向に付勢する第２のバネ部材と、
前記ピン部材が押し込まれることで前記アクセサリーシューに前記外部アクセサリーが装着されることを検出する検出手段とを有することを特徴とする撮像装置。
【請求項２】
前記第２のバネ部材は重ねられた複数の板バネ部材であることを特徴とする請求項１記載の撮像装置。
【発明の詳細な説明】
【技術分野】
【０００１】
本発明は、外部ストロボを装着可能な撮像装置に関するものである。
【背景技術】
【０００２】
従来の外部ストロボを装着可能な撮像装置には、外部ストロボの装着を検出する検出手段として検知レバーを用いたものがある。このような撮像装置は外部ストロボの装着部がアクセサリーシューのガイド溝に挿入されると、外部ストロボの装着部がガタ防止板バネを介してピン部を押し下げ検知レバーの延部が常閉スイッチの接点を開状態にする。こうして、撮像装置は外部ストロボの装着を検出することができる。（例えば、特許文献１参照）
【特許文献１】特開平１０−１８６４７１号公報
【発明の開示】
【発明が解決しようとする課題】
【０００３】
上記従来例では外部ストロボの取り付けガタを抑えるためにガタ防止板バネを備えているが、静圧荷重などに耐えるためにアクセサリーシューのガイド溝と外部ストロボの装着部との隙間は非常に狭い。そのために、外部ストロボの装着部をアクセサリーシューのガイド溝に挿入した状態で外部ストロボに外力が加わるとガタ防止バネが塑性変形してしまい、上方向への付勢力を失うおそれがある。変形したガタ防止板バネの延部は常閉スイッチの板バネに発生する反力に抗して外部ストロボが非装着状態でもピン部及び検知レバーを押し下げてしまう。したがって、外部ストロボが装着されていると誤検出する問題があった。
【課題を解決するための手段】
【０００４】
本発明の撮像装置は外部アクセサリを取り付け可能なアクセサリシューと、前記アクセサリシューに配置され、前記アクセサリシューに前記外部アクセサリが取り付けられた場合にチャージされる第１のバネ部材と、前記アクセサリシューに配置され、前記第１のバネ部材がチャージされるときに押し込まれるピン部材と、前記第１のバネ部材よりも強い付勢力で前記ピン部材を突出させる方向に付勢する第２のバネ部材と、前記ピン部材が押し込まれることで前記アクセサリシューに前記外部アクセサリが装着されることを検出する検出手段とを有することを特徴とする。
【発明の効果】
【０００５】
第１のバネ部材が塑性変形を起こした場合でも、第２のバネ部材の付勢力によりピン部材を押し戻すことができる。したがって、第１のバネ部材が塑性変形したとしても検出手段による誤検出をすることがない。
【発明を実施するための最良の形態】
【０００６】
図１は本発明の実施形態である撮像装置のアクセサリーシューに外部ストロボを装着した状態の斜視図であり、図２は外部ストロボを装着可能なアクセサリーシューの外観斜視図である。図３は外部ストロボ及び外部ストロボの装着を検出する検出部の内部の斜視図であり、図４は図２のピン部でのｙ−ｚ断面図を示す。
【０００７】
１はカメラ本体、３はカメラ本体上部に配置されたアクセサリーシュー、４は外部ストロボ装着時のガタを防止するガタ防止板バネ（第１のバネ部材）、５はアクセサリーシューに貫入されたピン（ピン部材）である。ガタ防止板バネ４には、ｙ方向に付勢力を持つ延部４ａがある。外部ストロボの装着部２ａは、アクセサリーシューの屈曲部３ａとガタ防止板バネの延部４ａの間に挿入され、延部４ａの付勢力でアクセサリーシューの屈曲部３ａに押圧される。また、延部４ａの−ｙ方向へチャージされるとピン５が−ｙ方向に押し込まれる。
【０００８】
６は外装カバー、７はスイッチ板バネＡ（第２のバネ部材）、８はスイッチ板バネＢ（第２のバネ部材）、１０は電気回路を形成したフレキシブル基板である。スイッチ板バネＡ７及びスイッチ板バネＢ８はビス９で外装カバー６に固定される。スイッチ板バネＡの根元部７ａではフレキシブル基板の導体露出部Ｃ１０ａに半田付けで電気的に接続され、先端部７ｂはｙ方向に付勢力を持ち、ピン５をｙ方向に突出させ、フレキシブル基板の導体露出部Ｄ１０ｂと接触する。すなわち外部ストロボ２が非装着状態では、スイッチ板バネＡ７により、フレキシブル基板の導体露出部Ｃ１０ａと導体露出部Ｄ１０ｂが電気的に接続されており、常閉スイッチとして機能している。
【０００９】
外部ストロボ２の装着により−ｙ方向へ押し込まれたピン５によりスイッチ板バネＡ７も−ｙ方向に押されスイッチ板バネＡの先端部７ｂが導体露出部Ｄ１０ｂと離れる。そのためスイッチ板バネＡ７により導通がとられていた常閉スイッチが開状態となり、外部ストロボ２の装着を検出することができる。
【００１０】
外部ストロボ２が装着された状態で、外部ストロボ２に強い外力が与えられる場合には、ガタ防止板バネの延部４ａが−ｙ方向に塑性変形することがある。また、規格よりも厚い外部ストロボの装着部２ａがアクセサリーシューの屈曲部３ａとガタ防止板バネの延部４ａの間に挿入された場合にも、ガタ防止板バネの延部４ａが−ｙ方向に塑性変形することがある。ガタ防止板バネの延部４ａが−ｙ方向に塑性変形すると、外部ストロボ２が非装着状態でも変形した延部４ａがピン５を−ｙ方向に押し込まれてしまう。
【００１１】
しかしながら、本実施形態では、ピン５の移動によりスイッチ板バネＡ７及びスイッチ板バネＢ８が押され、たわんで発生する反力の合計が、同じたわみ量でガタ防止板バネ４に発生する反力よりも強く設定されている。したがって、スイッチ板バネＡ７の反力に負けてガタ防止板バネの延部４ａが＋ｙ方向にたわみ、ガタ防止板バネの延部４ａが−ｙ方向に塑性変形することがない。この構成によって、常閉スイッチは常閉状態を保ち、外部ストロボ２は非装着状態であると正しく検出する。
【００１２】
次に、本実施形態において検出手段に設けられた付勢部の反力を高めるためにスイッチ板バネを２枚重ねた理由を説明する。スイッチ板バネはビス止め部を固定端とした片持ちはりとみなすことができる。図５に示す片持ちはりの概略図を示し、特性は（式１）で表される。
【００１３】
【数１】
2008292928.tif 000003
δ：たわみ  Ｗ：荷重  ｌ：はり長  Ｅ：ヤング率  Ｉ：断面二次モーメントであり、ヤング率は（式２）で表される。
【００１４】
【数２】
2008292928.tif 000004
σ：応力  ε：ひずみ
たわみ（δ）は直動するピン５に押されてスイッチ板バネ７に発生するたわみ量であり、荷重（Ｗ）はピン５が当接する位置に発生するスイッチ板バネ７の反力である。はり長（ｌ）はビス止め部からピンが当接する位置までの距離である。
【００１５】
ピン５の移動量は一定であるので、たわみ（δ）＝一定であり、その条件下でスイッチ板バネ７の反力（Ｗ）を大きくするためには、次の方法がある。
ａ）ビス止め部からピンが当接する位置までの距離（ｌ）を短くする
ｂ）ヤング率の大きい材料に変更する
ｃ）断面二次モーメントを大きくする（板厚を厚くする）
しかし、ａ）の距離を短くした場合にたわみ＝一定なのでひずみが大きくなりすぎ、弾性変形領域を超え塑性変形を起こしてしまい常閉スイッチが常開状態となってしまう。ｂ）のヤング率の大きい材料やｃ）の板厚の厚い材料も同様に弾性変形領域が狭いために塑性変形を起こしてしまう。また、塑性変形を起こさないように上記を組み合わせる場合は長さを長くする必要があるが、カメラが大型化するという問題がある。また、ガタ防止板バネ４の板厚を薄くすることで相対的にスイッチ板バネに発生する反力を高めることができるが、ガタ防止板バネ４の目的である外部ストロボの取り付けガタを抑えるという効果が低減してしまう。
【００１６】
そこで、本実施形態ではスイッチ板バネを２枚重ねることで反力を２倍にすることができ、ガタ防止板バネ４に発生する反力よりも強くなる。そのため、ガタ防止板バネ４が塑性変形を起こした場合でも、スイッチ板バネの反力に負けてガタ防止板バネの延部４ａが＋ｙ方向にたわみ、常閉スイッチは常閉状態を保ち、外部ストロボ２が非装着状態であると正しく検出できる。
【図面の簡単な説明】
【００１７】
【図１】本発明の実施例に係わる外部ストロボを装着したカメラの外観斜視図
【図２】外部ストロボを装着するアクセサリーシュー周辺の外観斜視図
【図３】外部ストロボ及び外部ストロボの装着を検出する検出部の内部の斜視図
【図４】図２のピン部でのｙ−ｚ断面図
【図５】片持ちはりの概略図
【符号の説明】
【００１８】
１  カメラ
２  外部ストロボ
２ａ  外部ストロボの装着部
３  アクセサリーシュー
３ａ  アクセサリーシューの屈曲部
４  ガタ防止板バネ
４ａ  ガタ防止板バネの延部
５  ピン
６  外装カバー
７  スイッチ板バネＡ
７ａ  スイッチ板バネＡの根本部
７ｂ  スイッチ板バネＡの先端部
８  スイッチ板バネＢ
９  ビス
１０  フレキシブル基板
１０ａ  フレキシブル基板の導体露出部Ｃ
１０ｂ  フレキシブル基板の導体露出部Ｄ
【図１】
2008292928.tif 000005
【図２】
2008292928.tif 000006
【図３】
2008292928.tif 000007
【図４】
2008292928.tif 000008
【図５】
2008292928.tif 000009